(57)【要約】【課題】小サイズの被記録媒体の搬送ベルトへの吸引力を向上することができる被記録媒体の搬送装置を提供する【解決手段】搬送ベルト３２０には多数の吸引孔３２０ａが穿孔されている。搬送ベルトの一方の面側には吸引ユニット３３０が配置されている。吸引ユニットはユニットケース３３１を備えている。ユニットケースは搬送ベルトの幅方向と用紙Ｐの搬送方向とに並設された複数の収容室３３４Ａ〜３３４Ｉを有している。複数の収容室の各々にはファン３３８が収容されている。【選択図】図２
2014124907.tif 000002
【特許請求の範囲】
【請求項１】
被記録媒体を搬送する搬送装置であって、
多数の吸引孔が穿孔されるとともに前記被記録媒体の搬送方向に駆動される搬送ベルトと、
前記搬送ベルトの一方の面側に配置されるとともに前記多数の吸引孔を介して前記被記録媒体を前記搬送ベルトの他方の面上に吸引する負圧を発生させる吸引ユニットとを備え、
前記吸引ユニットは、
前記搬送ベルトの少なくとも幅方向に並設された複数の収容室を有するユニットケースと、
前記複数の収容室の各々に収容され、前記負圧を発生させる吸引手段と
を備える、搬送装置。
【請求項２】
前記複数の収容室のうちの少なくとも一部の収容室を区画形成するとともに前記被記録媒体の前記搬送方向と直交する方向に間隔をおいて配置された一対の仕切壁が、前記搬送方向の下流に向かって互いに接近又は離間するように形成されている、請求項１に記載の搬送装置。
【請求項３】
前記被記録媒体の前記搬送方向の最上流に位置する前記少なくとも一部の収容室を区画形成するとともに前記搬送方向と直交する方向に間隔をおいて配置された一対の仕切壁が、前記搬送方向の下流に向かって互いに接近するように形成されている、請求項２に記載の搬送装置。
【請求項４】
前記被記録媒体の前記搬送方向の最下流に位置する前記少なくとも一部の収容室を区画形成するとともに前記搬送方向と直交する方向に間隔をおいて配置された一対の仕切壁が、前記搬送方向の下流に向かって互いに離間するように形成されている、請求項２又は請求項３に記載の搬送装置。
【請求項５】
前記搬送ベルトの前記幅方向に沿う方向における前記一対の仕切壁の最大間隔は、搬送可能な最小サイズの前記被記録媒体における前記搬送ベルトの前記幅方向に沿う方向の長さよりも大きい、請求項３又は請求項４に記載の搬送装置。
【請求項６】
前記吸引手段がファンを含む、請求項１から請求項５のうちの１項に記載の搬送装置。
【請求項７】
請求項１から請求項６のうちの１項に記載の搬送装置を備える、画像形成装置。
【請求項８】
インクジェット記録方式の画像形成部を含む、請求項７に記載の画像形成装置。
【発明の詳細な説明】
【技術分野】
【０００１】
本発明は、プリンタ、複写機、複合機等の画像形成装置に装備される搬送装置及び画像形成装置に関する。
【背景技術】
【０００２】
多数のノズルからインク滴を吐出し、紙等の被記録媒体上に画像形成を行うインクジェット記録装置は、小型で安価、動作音が静粛等の理由により、プリンタ、複写機、複合機等に広く用いられている。
【０００３】
インクジェット記録装置では、搬送ベルトによってコピー用紙等の被記録媒体を搬送し、記録ヘッドが被記録媒体に向けてインク滴を吐出して被記録媒体上に画像形成を行う。記録ヘッドは、被記録媒体と接触しないように被記録媒体との間に１．０〜１．５ｍｍ程度の距離をおいて配置されている。
【０００４】
斯かる構造のインクジェット記録装置では、被記録媒体の撓みや、被記録媒体が記録ヘッドの下を通過する際に生じる風圧等によって被記録媒体が搬送ベルトから浮揚すると、被記録媒体と記録ヘッドとの間の距離が不均一になり、画像品質が損なわれるという問題が生じる。
【０００５】
上記問題を解消するため、被記録媒体を搬送ベルト上に吸引するようにした搬送装置が提案されている（特許文献１参照）。特許文献１に記載の搬送装置は、被記録媒体の搬送方向に駆動される搬送ベルトと、搬送ベルトの一方の面側に配置された吸引ユニットとを含む。搬送ベルトには多数の吸引孔が穿孔されている。
【０００６】
吸引ユニットは、ファンケースと、ファンケース内に収容されたファンとを備えている。ファンケースの天壁には、ファンケースの内部と搬送ベルトの吸引孔とを連通する孔やスリットが形成されている。
【０００７】
搬送ベルトの他方の面上に被記録媒体が載置された状態でファンを駆動すると、ファンケース内に負圧が発生し、負圧が搬送ベルトの吸引孔を介して被記録媒体に作用する。その結果、被記録媒体が搬送ベルトの他方の面上に吸引される。
【先行技術文献】
【特許文献】
【０００８】
【特許文献１】特開２０１０−２８０１４９号公報
【発明の概要】
【発明が解決しようとする課題】
【０００９】
しかしながら、特許文献１に記載の搬送装置では、葉書等の小サイズの被記録媒体を搬送する場合において、被記録媒体により覆われる搬送ベルトの吸引孔の数が少ないため、ファンケース内の負圧が大きくならず、被記録媒体を十分に吸引できないことがあった。
【００１０】
本発明は上記事情に鑑みて創案されたものであり、その目的は、小サイズの被記録媒体の搬送ベルトへの吸引力を向上することができる被記録媒体の搬送装置を提供することにある。
【課題を解決するための手段】
【００１１】
上記目的を達成するために、本発明の第１の態様は、被記録媒体を搬送する搬送装置であって、多数の吸引孔が穿孔されるとともに前記被記録媒体の搬送方向に駆動される搬送ベルトと、前記搬送ベルトの一方の面側に配置されるとともに前記多数の吸引孔を介して前記被記録媒体を前記搬送ベルトの他方の面上に吸引する負圧を発生させる吸引ユニットとを備えている。前記吸引ユニットは、前記搬送ベルトの少なくとも幅方向に並設された複数の収容室を有するユニットケースと、前記複数の収容室の各々に収容され、前記負圧を発生させる吸引手段とを備えている。
【００１２】
また、本発明の第２の態様は、第１の態様に係る被記録媒体の搬送装置を備える画像形成装置である。
【発明の効果】
【００１３】
本発明によれば、小サイズの被記録媒体の搬送ベルトへの吸引力を向上することができる。
【図面の簡単な説明】
【００１４】
【図１】本発明の第１実施形態に係る被記録媒体の搬送装置を備えたインクジェット記録装置の概略構成を示す模式図である。
【図２】図１に示されるファンケースの内部の状態を示す平面図である。
【図３】図１に示される吸引ユニットと用紙との関係を示す説明図である。
【図４】図１に示される天壁の一部拡大断面図である。
【図５】図１に示される天壁の一部拡大平面図である。
【図６】図１に示される搬送ベルトの吸引孔と吸引ユニットのスリットとの関係を示す説明図である。
【図７】図１に示される吸引ユニットと用紙との関係を示す説明図である。
【図８】本発明の第２実施形態に係る搬送装置の吸引ユニットを示す図である。
【発明を実施するための形態】
【００１５】
以下、図面を参照して本発明による実施形態を説明する。図１は本発明の第１実施形態に係る被記録媒体の搬送装置（以下、「搬送装置」と略す。）を備えたインクジェット記録装置1の概略構成を示す模式図である。
【００１６】
インクジェット記録装置１は、装置筐体１００と、装置筐体１００の内部の下方に配置された給紙部２００と、給紙部２００の上方に配置されたインクジェット記録方式の画像形成部３００と、画像形成部３００の一側方に配置された用紙搬送部４００と、画像形成部３００の他側方に配置された用紙排出部５００とを備える。
【００１７】
給紙部２００は、装置筐体１００に着脱自在の給紙カセット２０１と、給紙ローラ２０２と、ガイド板２０３とを備えている。給紙ローラ２０２は給紙カセット２０１の一端側の上方に配置されている。ガイド板２０３は給紙ローラ２０２と用紙搬送部４００との間に配置されている。
【００１８】
給紙カセット２０１内には、多数の用紙Ｐが積み重ねられた状態で収納されている。給紙ローラ２０２は、給紙カセット２０１内の用紙Ｐを一枚ずつ取り出す。ガイド板２０３は、給紙ローラ２０２が取り出した用紙Ｐを用紙搬送部４００に案内する。
【００１９】
用紙搬送部４００は、略Ｃ字形の用紙搬送路４０１と、用紙搬送路４０１の入口側に設けられた第１搬送ローラ対４０２と、用紙搬送路４０１の途中に設けられた第２搬送ローラ対４０３と、用紙搬送路４０１の出口側に設けられたレジストローラ対４０４とを備える。
【００２０】
第１搬送ローラ対４０２は、給紙部２００から給紙される用紙Ｐを挟んで用紙搬送路４０１に送出する。第２搬送ローラ対４０３は、第１搬送ローラ対４０２が送出した用紙Ｐを挟んで搬送方向に搬送する。レジストローラ対４０４は、第２搬送ローラ対４０３によって搬送されてきた用紙Ｐの斜行補正を行う。そして、レジストローラ対４０４は、印字のタイミングと用紙Ｐの搬送とを同期させるために用紙Ｐを一時待機させた後、用紙Ｐを印字タイミングに合わせて画像形成部３００に送出する。
【００２１】
画像形成部３００は、搬送装置３１０と、搬送装置３１０の上方に配置された記録ヘッド３５０と、搬送装置３１０に対して用紙Ｐの搬送方向の下流側に配置された搬送ガイド３８０とを備えている。なお、画像形成部３００は、用紙Ｐ上に吐出されたインク滴を乾燥させる乾燥装置を備えていてもよい。
【００２２】
搬送装置３１０は、支持ローラ３１１と、紙押えローラ３１２と、駆動ローラ３１３と、一対のテンションローラ３１４と、無端状の搬送ベルト３２０と、吸引ユニット３３０とを備える。搬送ベルト３２０は、支持ローラ３１１、駆動ローラ３１３、及び一対のテンションローラ３１４の間に張設されている。
【００２３】
紙押えローラ３１２は支持ローラ３１１の上方に配置され、支持ローラ３１１との間に用紙Ｐを挟み込んで搬送ベルト３２０の他方の面上へ送出する。駆動ローラ３１３は支持ローラ３１１に対して用紙Ｐの搬送方向に間隔をおいて配置されている。駆動ローラ３１３はモータ（図示せず）によって回転駆動され、搬送ベルト３２０を反時計回りに回転させる。一対のテンションローラ３１４は支持ローラ３１１と駆動ローラ３１３との間の下方に配置され、搬送ベルト３２０が撓まないように搬送ベルト３２０にテンションを付与する。
【００２４】
記録ヘッド３５０は、用紙Ｐの搬送方向の上流側から下流側に向けて並設された４個のラインヘッド３５１、３５２、３５３及び３５４により構成されている。ラインヘッド３５１、３５２、３５３及び３５４の各々は、用紙Ｐの幅方向（用紙Ｐの一方の面と平行かつ用紙Ｐの搬送方向と直交する方向）に配列された多数のノズル（図示せず）を備えている。記録ヘッド３５０はライン型と称される。
【００２５】
ラインヘッド３５１の多数のノズルの各々は、ラインヘッド３５１内に形成された加圧室(図示せず)に連通している。加圧室はラインヘッド３５１内に形成されたインク液室に連通している。そして、インク液室はインク供給チューブ(図示せず)を介してブラック（Ｋ）のインクタンク（図示せず）に連通接続されている。
【００２６】
ラインヘッド３５２の多数のノズルの各々は、ラインヘッド３５２内に形成された加圧室(図示せず)に連通している。加圧室はラインヘッド３５２内に形成されたインク液室に連通している。そして、インク液室はインク供給チューブ(図示せず)を介してシアン（Ｃ）のインクタンク（図示せず）に連通接続されている。
【００２７】
ラインヘッド３５３の多数のノズルの各々は、ラインヘッド３５３内に形成された加圧室(図示せず)に連通している。加圧室はラインヘッド３５３内に形成されたインク液室に連通している。そして、インク液室はインク供給チューブ(図示せず)を介してマゼンタ（Ｍ）のインクタンク（図示せず）に連通接続されている。
【００２８】
ラインヘッド３５４の多数のノズルの各々は、ラインヘッド３５４内に形成された加圧室(図示せず)に連通している。加圧室はラインヘッド３５４内に形成されたインク液室に連通している。そして、インク液室はインク供給チューブ(図示せず)を介してイエロー（Ｙ）のインクタンク（図示せず）に連通されている。
【００２９】
吸引ユニット３３０は、搬送ベルト３２０を挟んで記録ヘッド３５０と対向するように搬送ベルト３２０の一方の面側に配置されている。吸引ユニット３３０は、ユニットケースとしてのファンケース３３１と、ファンケース３３１の上面開口を覆う天壁３３５と、ファンケース３３１内に収容された複数のファン３３８とを備える。ファン３３８は本発明の吸引手段として機能する。
【００３０】
搬送ガイド３８０は、搬送ベルト３２０から排出される用紙Ｐを用紙排出部５００に案内する。
【００３１】
用紙排出部５００は、排出ローラ対５０１と、排出トレイ５０２とを備える。排出トレイ５０２は、装置筐体１００に形成された排出口１０１から外部に突出するように装置筐体１００に固定されている。
【００３２】
搬送ガイド３８０を通過した用紙Ｐは、排出ローラ対５０１によって排出口１０１の方向に送出され、排出トレイ５０２に案内されて排出口１０１を介して装置筐体１００の外部に排出される。
【００３３】
図２は、図１に示されるファンケース３３１の内部の状態を示す平面図である。
【００３４】
ファンケース３３１は、上面が開口した箱形のものである。ファンケース３３１の内部は、ファンケース３３１の内部を用紙Ｐの搬送方向に横断する一対の仕切壁３３２Ａ、３３２Ｂと、ファンケース３３１の内部を搬送ベルト３２０の幅方向（搬送ベルト３２０の一方の面と平行かつ用紙Ｐの搬送方向と直交する方向）に縦断する一対の３３３Ａ、３３３Ｂとによって区画されており、ファンケース３３１は、搬送ベルト３２０の幅方向及び用紙Ｐの搬送方向に並設された同形同大の９つの収容室３３４Ａ〜３３４Ｉを有している。
【００３５】
収容室３３４Ａ〜３３４Ｉの各々にはファン３３８が収容されている。図１に示すように、ファン３３８は、下部がファンケース３３１の下方に突出した状態で収容室３３４Ａ〜３３４Ｉに収容されている。複数のファン３３８の各々は電源（図示せず）に接続されている。
【００３６】
図３は、図１に示される搬送装置３１０の吸引ユニット３３０と用紙Ｐとの関係を示す説明図である。図３に示される用紙Ｐは搬送装置３１０で搬送可能な用紙のうち、最小サイズのものである。
【００３７】
仕切壁３３３Ａと仕切壁３３３Ｂとの間隔Ｌ１は、用紙Ｐの長さＷ１よりも若干大きく、仕切壁３３２Ａと仕切壁３３２Ｂとの間隔Ｌ２は、用紙Ｐの長さＷ２よりも若干大きい。
【００３８】
図４は、図１に示される天壁３３５の一部拡大断面図であり、図５は図１に示される天壁３３５の一部拡大平面図である。
【００３９】
図４に示すように、天壁３３５は、上壁３３６と下壁３３７とから成る二重壁状である。上壁３３６には多数のスリット３３６ａが形成され、下壁３３７には、多数のスリット３３６ａの各々に対応して設けられた貫通孔３３７ａが多数形成されている。
【００４０】
図５に示すように、スリット３３６ａは、用紙Ｐの搬送方向に延びる長円状で、上壁３３６（図４参照）を厚さ方向に貫通している。
【００４１】
図５に示すように、貫通孔３３７ａは、スリット３３６ａの一端側に対向するように配置されており、下壁３３７（図４参照）を厚さ方向に貫通している。
【００４２】
図６は、図１に示される搬送ベルト３２０の吸引孔３２０ａと吸引ユニット３３０のスリット３３６ａとの関係を示す説明図である。
【００４３】
搬送ベルト３２０には、搬送ベルト３２０を厚さ方向に貫通する多数の吸引孔３２０ａが穿孔されている。用紙Ｐの搬送方向に配置された多数の吸引孔３２０ａから成る列が搬送ベルト３２０に複数本形成されており、これらの複数本の列は、搬送ベルト３２０の幅方向に千鳥足状に配置されている。
【００４４】
上壁３３６のスリット３３６ａは、搬送ベルト３２０の吸引孔３２０ａに対応して配置されている。用紙Ｐの搬送方向に配置された多数のスリット３３６ａから成る列が上壁３３６に複数本形成されており、これらの複数本の列は、搬送ベルト３２０の幅方向に千鳥足状に配置されている。
【００４５】
多数のスリット３３６ａの各々は、４つの吸引孔３２０ａと対向し得るように形成されている。搬送ベルト３２０の進行に伴って、多数のスリット３３６ａの各々に対向する４つの吸引孔３２０ａが１つずつ入れ替わってゆく。
【００４６】
ファンケース３３１の収容室３３４Ａ〜３３４Ｉ（図２参照）の各々は、天壁３３５のスリット３３６ａ及び貫通孔３３７ａ（図４参照）を介して、搬送ベルト３２０の多数の吸引孔３２０ａのうちの複数の吸引孔３２０ａと常時連通している。
【００４７】
次に、図１〜図６を参照して、本実施形態のインクジェット記録装置１の作用及び効果について説明する。ここでは、搬送装置３１０で搬送可能な最小サイズの用紙Ｐに画像形成を行う場合について説明する。
【００４８】
図１において、給紙カセット２０１に積み重ね状態で収容された多数の用紙Ｐのうち、最上部の用紙Ｐが給紙ローラ２０２によって給紙カセット２０１から取り出され、ガイド板２０３によって第１搬送ローラ対４０２に導かれる。
【００４９】
用紙Ｐは第１搬送ローラ対４０２によって用紙搬送路４０１内に送出され、第２搬送ローラ対４０３によって用紙Ｐの搬送方向に搬送される。そして、用紙Ｐはレジストローラ対４０４に当接して停止し、斜行補正が行われる。そして、斜行補正が行われた後、印字タイミングに合わせて用紙Ｐが画像形成部３００に送出される。
【００５０】
用紙Ｐは紙押えローラ３１２によって搬送ベルト３２０上に導かれ、搬送ベルト３２０の他方の面の幅方向中央部に載置される。用紙Ｐは、搬送ベルト３２０に穿孔された複数の吸引孔３２０ａ（図６参照）を覆い、複数の吸引孔３２０ａを介して供給される負圧により搬送ベルト３２０の他方の面上に吸引される。そして、用紙Ｐは、搬送ベルト３２０の進行に伴って搬送方向に搬送される。
【００５１】
用紙Ｐは、搬送ベルト３２０の他方の面の幅方向中央部に吸引されているため、ファンケース３３１の収容室３３４Ｆ、３３４Ｅ、３３４Ｄの上方を順次通過する（図３参照）。用紙Ｐが収容室３３４Ｆ、３３４Ｅ、３３４Ｄの真上を通過する際には、収容室３３４Ｆ、３３４Ｅ、３３４Ｄ内の負圧が最大になる。
【００５２】
収容室３３４Ｅを例に挙げて説明すると、図３に示すように、用紙Ｐが収容室３３４Ｅの真上を通過するとき、収容室３３４Ｅに連通する全てのスリット３３６ａ（図６参照）の各々に、用紙Ｐによって覆われている搬送ベルト３２０の吸引孔３２０ａが４つずつ重なり合う。その結果、収容室３３４Ｅに連通する全てのスリット３３６ａが塞がれた状態になり、収容室３３４Ｅ内の負圧が最大になる。したがって、用紙Ｐが搬送ベルト３２０の他方の面に強く吸引される。その結果、吸引ユニット３３０によれば、小さいサイズの用紙（例えば、葉書）の吸引力が向上し、小さいサイズの用紙の搬送ベルト３２０からの浮揚を抑制することができる。
【００５３】
次に、本発明の第２実施形態を説明する。図７は図１に示される吸引ユニットと用紙との関係を示す説明図であり、図８は本発明の第２実施形態に係る搬送装置の吸引ユニットを示す図である。図８を参照して、第２実施形態の吸引ユニットと用紙との関係を説明する。
【００５４】
図７は、第１実施形態の吸引ユニット３３０において、用紙Ｐの長さＷ２が、収容室３３４Ｄ、３３４Ｅ及び３３４Ｆを区画形成する一対の仕切壁３３２Ａ、３３２Ｂの間隔Ｌ２よりも若干大きい場合を示している。このような用紙Ｐを搬送する場合には、用紙Ｐの搬送方向の側縁部Ｐａ、Ｐｂが仕切壁３３２Ａ、３３２Ｂから外側にはみだした状態になる。その場合について、収容室３３４Ｅを例に挙げて説明する。
【００５５】
収容室３３４Ｅに対して搬送ベルト３２０の幅方向に並設された収容室３３４Ｂ、３３４Ｈに連通するスリット３３６ａ（図６参照）が用紙Ｐの側縁部Ｐａ、Ｐｂによって塞がれない場合には、用紙Ｐの側縁部Ｐａ、Ｐｂには吸引力が作用しないため、側縁部Ｐａ、Ｐｂは撓みや風圧等によって搬送ベルト３２０の他方の面から浮揚する虞がある。
【００５６】
そこで、第２実施形態では、図８に示すように、搬送ベルト３２０の幅方向中央部に対向するとともに用紙Ｐの搬送方向に並設された収容室３３４Ｄ、３３４Ｅ及び３３４Ｆを区画形成するとともに用紙Ｐの搬送方向と直交する方向に間隔をおいて配置された一対の仕切壁３３２Ａ、３３２Ｂを、用紙Ｐの搬送方向の下流に向かって互いに接近又は離間するように形成している。
【００５７】
すなわち、仕切壁３３２Ａを、収容室３３４Ｄを区画する部分３３２Ａａと、収容室３３４Ｅを区画する部分３３２Ａｂと、収容室３３４Ｆを区画する部分３３２Ａｃとに分け、また、仕切壁３３２Ｂを、収容室３３４Ｄを区画する部分３３２Ｂａと、収容室３３４Ｅを区画する部分３３２Ｂｂと、収容室３３４Ｆを区画する部分３３２Ｂｃとに分けている。
【００５８】
そして、収容室３３４Ｄでは、部分３３２Ａａと部分３３２Ｂａとが用紙Ｐの搬送方向の下流に向かって互いに離間している。また、収容室３３４Ｅでは、部分３３２Ａｂと部分３３２Ｂｂとが用紙Ｐの搬送方向の下流に向かって互いに接近している。また、収容室３３４Ｆでは、部分３３２Ａｃと部分３３２Ｂｃとが用紙Ｐの搬送方向の下流に向かって互いに接近している。
【００５９】
この場合、用紙Ｐの進行にしたがって、用紙Ｐの一方の側縁部Ｐａが、部分３３２Ａｃ、部分３３２Ａｂ及び部分３３２Ａａと順次交差し、用紙Ｐの他方の側縁部Ｐｂが、部分３３２Ｂｃ、部分３３２Ｂｂ及び部分３３２Ｂａと順次交差する。その結果、側縁部Ｐａ、Ｐｂに対する吸引力が、図７の場合のように全く無くなることはなく、側縁部Ｐａ、Ｐｂの一部に対して吸引力が常に作用するので、側縁部Ｐａ、Ｐｂの搬送ベルト３２０からの浮揚を抑制することができる。
【００６０】
また、用紙Ｐの搬送方向の最上流に位置する収容室３３４Ｆでは、部分３３２Ａｃと部分３３２Ｂｃとが用紙Ｐの搬送方向の下流に向かって互いに接近しているので、収容室３３４Ｆの上面では、用紙Ｐの搬送方向の上流側の吸引力が大きい。したがって、収容室３３４Ｆの上方に進入してくる用紙Ｐを強く吸着することができる。その結果、用紙Ｐがレジストローラ対４０４に引っ張られることによる用紙Ｐの搬送ベルト３２０上での位置ずれを抑制することができる。
【００６１】
そして、本実施形態では、部分３３２Ａｃと部分３３２Ｂｃとの最大間隔Ｌ３が用紙Ｐの長さＷ２よりも大きい。したがって、収容室３３４Ｆの上方に進入してくる用紙Ｐの先端部を全長に亘って強く吸着することができる。なお、間隔Ｌ３は、用紙Ｐの先端部の吸着力に問題がない範囲であれば、長さＷ２より小さくてもよい。
【００６２】
また、用紙Ｐの搬送方向の最下流に位置する収容室３３４Ｄでは、部分３３２Ａａと部分３３２Ｂａとが用紙Ｐの搬送方向の下流に向かって互いに離間しているので、収容室３３４Ｄの上面では、用紙Ｐの搬送方向の下流側の吸引力が大きい。したがって、収容室３３４Ｄの上面から離脱しようとする用紙Ｐの後端部を強く吸着することができる。その結果、用紙Ｐが排出ローラ対５０１に引っ張られることによる用紙Ｐの搬送ベルト３２０上での位置ずれを抑制することができる。
【００６３】
そして、本実施形態では、搬送ベルト３２０の幅方向に沿う方向における部分３３２Ａａと部分３３２Ｂａとの最大間隔Ｌ４が用紙Ｐの長さＷ２よりも大きい。したがって、収容室３３４Ｄの上面から離脱しようとする用紙Ｐの後端部を全長に亘って強く吸着することができる。なお、間隔Ｌ４は、用紙Ｐの後端部の吸着力に問題がない範囲であれば、長さＷ２より小さくてもよい。
【００６４】
以上、本発明の具体的な実施形態を説明したが、本発明は上記実施形態に限定されるものではなく、上記実施形態に種々の改変を施すことができる。
【００６５】
例えば、上記実施形態では、ユニットケースの内部に複数の収容室を搬送ベルトの幅方向及び用紙の搬送方向に並設した場合について説明したが、ユニットケースの内部に複数の収容室を搬送ベルトの幅方向にのみ並設してもよい。
【００６６】
また、上記実施形態では、搬送ベルトの幅方向中央部に対向する収容室について、用紙の搬送方向と直交する方向に間隔をおいて配置された一対の仕切壁を用紙の搬送方向の下流に向かって互いに接近又は離間するように形成しているが、その他の収容室についても、用紙の搬送方向と直交する方向に間隔をおいて配置された一対の仕切壁を用紙の搬送方向の下流に向かって互いに接近又は離間するように形成してもよい。
【００６７】
また、上記実施形態では、吸引手段としてファンを用いているが、他の吸引手段（例えば、真空ポンプ）を用いることもできる。
【００６８】
また、上記実施形態では、ライン型の記録ヘッドを備えたインクジェット記録装置に本発明を適用した場合について説明したが、シリアル型の記録ヘッドを備えたインクジェット記録装置に本発明を適用することもできる。
【００６９】
また、上記実施形態では、本発明をインクジェット記録装置に適用した場合について説明したが、本発明は他の画像形成装置（例えば、電子写真方式の画像形成装置）にも適用可能である。
【００７０】
また、上記実施形態では、被記録媒体が用紙である場合について説明したが、被記録媒体は用紙以外（例えば、樹脂製シートや布帛）であってもよい。
【００７１】
その他にも、本発明の要旨を逸脱しない範囲で上記実施形態に種々の改変を施すことができる。
【符号の説明】
【００７２】
１  インクジェット記録装置（画像形成装置）
３２０  搬送ベルト
３２０ａ  吸引孔
３３０  吸引ユニット
３３１  ファンケース（ユニットケース）
３３２Ａ、３３２Ｂ、３３３Ａ、３３３Ｂ  仕切壁
３３４Ａ〜３３４Ｉ  収容室
３３８  ファン（吸引手段）
Ｐ  用紙（被記録媒体）
【図１】
2014124907.tif 000003
【図２】
2014124907.tif 000004
【図３】
2014124907.tif 000005
【図４】
2014124907.tif 000006
【図５】
2014124907.tif 000007
【図６】
2014124907.tif 000008
【図７】
2014124907.tif 000009
【図８】
2014124907.tif 000010